(57)【要約】【課題】緊急性の高い追加検体の分析結果を、より短い時間で得ることが可能な自動分析装置を提供する。【解決手段】自動分析装置１は、複数の検体が設置される試料ディスク１９を有し、且つ当該試料ディスク１９に設置された検体を分析する分析部８と、当該分析部８を操作する操作部１００とを有する。操作部１００のコンピュータ１１０は、試料ディスク１９に設置された検体の分析を中断している間に、当該試料ディスクに追加して設置された検体である追加検体を、当該分析を中断する前に既に試料ディスクに設置されていた検体である設置済み検体に比べて、先に分析部８に分析させる。【選択図】図１
2013174550.tif 000002
【特許請求の範囲】
【請求項１】
複数の検体が設置される試料ディスクを有し、且つ当該試料ディスクに設置された検体を分析する分析部と、当該分析部を操作する操作部とを備えた自動分析装置であって、
前記操作部のコンピュータは、
試料ディスクに設置された検体の分析を中断している間に当該試料ディスクに追加して設置された検体である追加検体を、当該分析を中断する前に既に試料ディスクに設置されていた検体である設置済み検体に比べて、先に分析部に分析させる
ことを特徴とする自動分析装置。
【請求項２】
請求項１に記載の自動分析装置において、
検体には、その緊急性の度合いに応じて、当該検体の緊急性を識別するための区分である検体区分を示す情報が付与されており、
前記操作部のコンピュータは、前記追加検体と前記設置済み検体が同一の検体区分である場合、当該追加検体を、当該設置済み検体に比べて、先に分析部に分析させる
自動分析装置。
【請求項３】
請求項１に記載の自動分析装置において、
前記操作部は、中断されていた分析を分析部に再開させる際に、前記追加検体を前記設置済み検体に比べて先に分析部に分析させるか否かを、操作者により選択させることが可能に構成されている
自動分析装置。
【請求項４】
請求項１に記載の自動分析装置において、
前記操作部は、各検体の分析順序を表示する表示装置を備える
自動分析装置。
【請求項５】
請求項２に記載の自動分析装置において、
前記操作部は、同一の検体区分の検体であれば、各検体の分析順序を入れ替えることが可能に構成されている
自動分析装置。
【請求項６】
複数の検体が設置される試料ディスクを有し、且つ当該試料ディスクに設置された検体を分析する分析部を備えた自動分析装置を操作する操作方法であって、
コンピュータにより、
前記試料ディスクに設置された検体の分析を中断している間に当該試料ディスクに追加して設置された検体である追加検体を、当該分析を中断する前に既に当該試料ディスクに設置されていた検体である設置済み検体に比べて先に分析部に分析させる
ことを特徴とする自動分析装置の操作方法。
【請求項７】
請求項６に記載の自動分析装置の操作方法において、
検体には、その緊急性の度合いに応じて、当該検体の緊急性を識別するための区分である検体区分を示す情報が付与されており、
コンピュータにより、
前記追加検体と前記設置済み検体が同一の検体区分である場合、当該追加検体を、当該設置済み検体に比べて先に分析部に分析させる
自動分析装置の操作方法。
【発明の詳細な説明】
【技術分野】
【０００１】
本発明は、検体（試料）の分析を自動的に行う自動分析装置に関する。
【背景技術】
【０００２】
血液、尿などの試料（すなわち検体）の定性的又は定量的な分析を自動的に行う自動分析装置が知られている（例えば、特許文献１参照）。特許文献１には、複数ある分析項目のうち最優先で分析を行いたい分析項目を、外部の入出力装置から設定し、当該分析項目の分析を、自動分析装置に最優先で行わせる技術が開示されている。また、検体の緊急性の度合いに応じて、「緊急検体」、「一般検体」などのように、検体の緊急性を識別するための区分（以下、単に「検体区分」と記す）を示す情報を、当該検体に付与することにより、自動分析装置において、緊急度の高い「緊急検体」を「一般検体」に比べて優先的に分析するという技術が提案されている。また、複数の検体を試料ディスクに設置して、設置された検体の分析を行う自動分析装置が知られている（例えば、特許文献１参照）。また、自動分析装置において、分析モジュールに移送前の分析待ちラックのラック情報、検体情報、分析項目等の情報に基づき、当該ラックの分析順を変更して分析効率を向上させる技術が提案されている（例えば、特許文献２参照）。
【先行技術文献】
【特許文献】
【０００３】
【特許文献１】特開平９−２１８１３号公報
【特許文献２】特開２０１０−１８１１９７号公報
【発明の概要】
【発明が解決しようとする課題】
【０００４】
このような自動分析装置においては、分析中に新たな検体を追加する場合、一度、分析を中断し、追加する検体を試料ディスクに設置した後、分析を再開する。分析を再開する際に、試料ディスクに設置された検体の患者ＩＤ等、検体を識別するための情報を読み取ることで、分析を中断している間に追加された検体の有無を認識することができる。
【０００５】
ところで、このような自動分析装置においては、分析を中断している間に、試料ディスクに新たに追加された検体（以下、「追加検体」と記す）の分析は、分析を中断する前に、既に試料ディスクに設置されていた検体（以下、「設置済み検体」と記す）の分析が終了した後に行われる。追加検体と、設置済み検体が、同一の検体区分（例えば、緊急検体／一般検体）のものである場合も、追加検体の分析は、同一の検体区分の設置済み検体の分析が終了した後に行われてしまう。分析を中断し、設置済み検体に比べて緊急性の高い検体を試料ディスクに追加して、この追加検体を、設置済み検体に比べて先に分析しようとしても、追加検体と、同一の検体区分の検体が、設置済み検体として試料ディスクに設置されている場合には、この設置済み検体の分析が終了するまで、緊急度の高い追加検体の分析を待たなければならなかった。また、検体の緊急性の度合いに応じて、検体単位で分析順序を入れ替えたいという要望もある。
【０００６】
本発明の目的は、上記に鑑みてなされたものであって、緊急性の高い追加検体の分析結果を、より短い時間で得ることが可能な自動分析装置を提供することにある。
【０００７】
本発明の前記ならびにその他の目的と新規な特徴は、本明細書の記述および添付図面から明らかになるであろう。
【課題を解決するための手段】
【０００８】
本願において開示される発明のうち、代表的なものの概要を簡単に説明すれば、次の通りである。
【０００９】
上記目的を達成するために、本発明に係る自動分析装置は、複数の検体が設置される試料ディスクを有し、且つ当該試料ディスクに設置された検体を分析する分析部と、当該分析部を操作する操作部とを備えた自動分析装置であって、前記操作部のコンピュータは、試料ディスクに設置された検体の分析を中断している間に当該試料ディスクに追加して設置された検体である追加検体を、当該分析を中断する前に既に試料ディスクに設置されていた検体である設置済み検体に比べて、先に分析部に分析させることを特徴とする。
【００１０】
上記の自動分析装置において、検体には、その緊急性の度合いに応じて、当該検体の緊急性を識別するための区分である検体区分を示す情報が付与されているものとすることができ、前記操作部のコンピュータは、前記追加検体と前記設置済み検体が同一の検体区分である場合、当該追加検体を、当該設置済み検体に比べて、先に分析部に分析させるものとすることができる。
【００１１】
上記の自動分析装置において、前記操作部は、中断されていた分析を分析部に再開させる際に、前記追加検体を前記設置済み検体に比べて先に分析部に分析させるか否かを、操作者により選択させることが可能に構成されているものとすることができる。
【００１２】
上記の自動分析装置において、前記操作部は、各検体の分析順序を表示する表示装置を備えるものとすることができる。
【００１３】
上記の自動分析装置において、前記操作部は、同一の検体区分の検体であれば、各検体の分析順序を入れ替えることが可能に構成されているものとすることができる。
【００１４】
また、本発明に係る自動分析装置の操作方法は、複数の検体が設置される試料ディスクを有し、且つ当該試料ディスクに設置された検体を分析する分析部を備えた自動分析装置を操作する操作方法であって、コンピュータにより、前記試料ディスクに設置された検体の分析を中断している間に当該試料ディスクに追加して設置された検体である追加検体を、当該分析を中断する前に既に当該試料ディスクに設置されていた検体である設置済み検体に比べて先に分析部に分析させることを特徴とする。
【００１５】
上記の自動分析装置の操作方法において、検体には、その緊急性の度合いに応じて、当該検体の緊急性を識別するための区分である検体区分を示す情報が付与されているものとすることができ、且つ、コンピュータにより、前記追加検体と前記設置済み検体が同一の検体区分である場合、当該追加検体を、当該設置済み検体に比べて先に分析部に分析させるものとすることができる。
【発明の効果】
【００１６】
本願において開示される発明のうち、代表的なものによって得られる効果を簡単に説明すれば、以下の通りである。
【００１７】
本発明によれば、設置済み検体に比べて緊急性が高い追加検体を、設置済み検体に比べて先に分析することができ、緊急性の高い追加検体の分析結果を、より短い時間で得ることが可能となる。
【図面の簡単な説明】
【００１８】
【図１】実施形態の自動分析装置の全体の概略構成を示す図である。
【図２】実施形態の自動分析装置が実行する分析制御の開始の条件を設定する画面である「スタート条件画面」の一例を示す図である。
【図３】実施形態の自動分析装置が実行する分析制御を示すフローチャートである。
【図４】実施形態の自動分析装置の分析部における各検体の分析順序を示すテーブルである「分析順序テーブル」が、操作部の表示装置の画面に示された場合の一例を示す図である。
【図５】実施形態の操作部の表示装置に表示された「分析順序を入れ替えるための画面」であり、各検体の分析順序を示す画面の一例を示す図である。
【図６】実施形態の技術と従来技術との差異を説明するための図であり、試料ディスクに検体が設置された態様を示す図である。
【図７】従来技術が適用された場合の分析順序と、本実施形態の技術が適用された場合の分析順序とを説明する図である。
【発明を実施するための形態】
【００１９】
以下、本発明の実施の形態（以下、単に「実施形態」と記す）を図面に基づいて詳細に説明する。なお、本発明は下記の実施形態に限定されるものではなく、その要旨を逸脱しない範囲において種々の変更が可能である。まず、自動分析装置全体の概略構成について図１を用いて説明する。図１は、自動分析装置の全体の概略構成を示す図である。図１に示すように、自動分析装置１は、検体を自動的に分析する分析部８と、当該分析部８を操作する操作部１００とを有している。
【００２０】
操作部１００は、一般的なコンピュータで構成されている。この操作部１００は、操作者がデータを入力するための入力装置として、キーボード１０２とマウス１０３を有しており、加えて、データを表示するための表示装置１０４と、データを印刷するための印刷装置１０５と、分析部８と接続するためのインタフェース１０６とを有している。
【００２１】
加えて、操作部１００は、後述する「分析順序テーブル」等の各種の情報を記憶する記憶装置１０７を有している。操作部１００のコンピュータ１１０は、記憶装置１０７に記憶された各種情報を、更新することが可能に構成されている。加えて、コンピュータ１１０は、記憶装置１０７に記憶された各種情報を分析部８のコンピュータ２２に送信することが可能に構成されている。
【００２２】
分析部８は、インタフェース１０６を介して操作部１００と接続されている。分析部８は、反応ディスク９を有しており、当該反応ディスク９の同心円周上には、反応容器１０が複数個設置されている。試薬ディスク１１は、その同心円周上に種々の試薬が入った試薬ボトル１２が複数個設置されている。反応ディスク９の周囲には、試料分注プローブ１３、撹拌装置１４、洗浄装置１５、光源１６、多波長光度計１７が、各々配置されている。反応ディスク９及び試薬ディスク１１の間には、試薬分注プローブ１８が配置されている。また、試料分注プローブ１３の回転円周上で、かつ試薬ディスク１１の隣には、試料ディスク１９が設置されている。試料を入れた試料容器２０は、試料ディスク１９の中に複数個設置されている。これらの機構の動作はすべて、インタフェース２１を介してコンピュータ２２により制御されている。
【００２３】
操作者は、操作部１００の表示装置１０４と、キーボード１０２またはマウス１０３を使って、測定項目をコンピュータ１１０に依頼し、当該コンピュータ１１０から分析部８に分析指示を与える。当該分析指示は、コンピュータ１１０から、インタフェース１０６，２１を介して、分析部８に送信される。分析部８は受信した分析指示に従って、下記のような分析動作を行う。
【００２４】
分析部８は、試料容器２０の中に入った試料を、依頼された項目数分、それぞれの所定量を、試料分注プローブ１３により、反応容器１０に分注させる。分析部８は、ひとつの試料容器２０に対する分注を完了したら、次の試料容器２０が試料分注プローブ１３の真下に来るように試料ディスク１９を回転させる。試料を分注された反応容器１０は、反応ディスク９の回転動作により、反応ディスク９上を回転移動する。その間に、反応容器１０の中の試料に対しては、試薬分注プローブ１８による試薬ボトル１２内の試薬の分注と、撹拌装置１４による反応液の攪拌と、光源１６及び多波長光度計１７による吸光度の測定とが行われる。この後に、反応容器１０は、洗浄装置１５により洗浄される。
【００２５】
測定された吸光度信号は、Ａ／Ｄコンバータ２３を経由し、インタフェース２１を介して分析部８のコンピュータ２２へ入る。当該コンピュータ２２は、この吸光度信号から、予め分析項目ごとに設定された分析法に基づき、標準液試料の場合は設定された濃度データから検量線データを算出し、患者試料及びコントロール試料の場合は標準液試料の測定で得られる検量線データから濃度データを算出する。これらのデータは、コンピュータ２２において、測定結果として、試料の種類を記号化した情報を付加される。このようにして、分析部８は、試料ディスク１９に設置された検体の分析を行う。分析結果は、分析部８のコンピュータ２２からインタフェース２１，１０６を介して操作部１００のコンピュータ１１０に送信される。操作部１００のコンピュータ１１０は、受信した分析結果を記憶装置１０７に記憶すると共に、表示装置１０４、及び印刷装置１０５に出力する。このようにして、操作部１００のコンピュータ１１０は、試料ディスク１９に設置された各検体を、分析部８において分析させる。分析部８における各検体の分析順序は、操作部１００のコンピュータ１１０が決定する。
【００２６】
自動分析装置１においては、分析中に新たな検体を追加する場合、操作部１００は、一度、分析部８における検体の分析を中断し、追加検体が新たに試料ディスク１９に設置された後、中断していた分析を分析部８に再開させる。分析が再開される際に、検体バーコードリーダ２４が、試料ディスク１９に設置された検体の患者ＩＤ等、検体を識別するための情報を読み取ることで、分析を中断している間に追加された追加検体の有無を、分析部８のコンピュータ２２及び操作部８のコンピュータ１１０は、認識することが可能となっている。
【００２７】
ところで、上述した検体の中には、他のものに比べて分析が急がれる、すなわち緊急性の高い検体である「緊急検体」がある。このような緊急検体は、比較的分析が急がれない他の検体、すなわち「一般検体」と区別される。緊急検体は、一般検体に比べて、優先的に分析する必要がある。このような緊急検体と一般検体と区別するため、検体を識別するための区分である「検体区分」を示す情報が、例えば、検体が入った容器（図示せず）等に付される。自動分析装置１は、当該容器から、検体の検体区分を示す情報を読み取り、分析作業に反映させることが可能となっている。
【００２８】
上述した自動分析装置１のように、複数の検体を試料ディスク１９に設置して分析を行う分析装置において、既に緊急検体が試料ディスク１９に「設置済み検体」として設置されている場合において、急患対応など、緊急検体の中でもより緊急性が高い緊急検体（追加検体）の検査依頼が突発的に発生した場合、既に試料ディスク１９に設置された緊急検体（設置済み検体）の分析が終了するまで、当該緊急検体（追加検体）の分析を行うことができなかった。また、同一の検体区分の検体であっても検体の緊急性の度合いに応じて、検体単位で分析順序を入れ替えたいという要望もある。
【００２９】
そこで、本実施形態の自動分析装置１において、操作部１００のコンピュータ１１０は、試料ディスク１９に設置された検体の分析を中断している間に試料ディスク１９に追加して設置された「追加検体」を、分析が未だ終了しておらず且つ分析を中断する前に既に試料ディスク１９に設置されていた「設置済み検体」に比べて、先に分析部８において分析させる「分析制御」を行うことを特徴としており、以下に、図１〜図４を用いて説明する。図２は、本実施形態の自動分析装置が実行する分析制御の開始の条件を設定する画面である「スタート条件画面」の一例を示す図である。図３は、本実施形態の自動分析装置が実行する分析制御を示すフローチャートである。図４は、本実施形態の自動分析装置の分析部における各検体の分析順序を示すテーブルである「分析順序テーブル」が、操作部の表示装置の画面に示された場合の一例を示す図である。
【００３０】
図１及び図２に示すように、本実施形態の自動分析装置１においては、まず、操作部１００のコンピュータ１１０が、表示装置１０４に、分析制御の開始の条件を設定する画面（以下、「スタート条件画面」と記す、図２参照）３０を表示させる。スタート条件画面３０において、「スタート」と表示されたボタン３５が選択されると、自動分析装置１の分析部８において分析が開始される。詳細には、試料ディスク１９が回転し、検体バーコードリーダ２４が試料容器２０へ貼り付けられたバーコード上の「患者ＩＤ」を読み取ることにより、試料ディスク１９に新たに追加された検体を認識する。これにより、コンピュータ２２が、自動分析装置１の分析部８を構成する各種の装置の動作を制御する際に、追加検体を優先的に又は最優先で、分析することが可能となる。
【００３１】
なお、以下の説明において、検体の分析の途中において、当該分析が中断されて、試料ディスク１９に新たに追加された検体を、単に「追加検体」と記す。これに対して、分析が中断される前から既に試料ディスク１９に設置されている検体を、「設置済み検体」と記す。
【００３２】
操作部１００のコンピュータ１１０は、図２に示すように、スタート条件画面３０の分析優先設定の項目３１に、設置済み検体の分析を、追加検体に比べて優先させるラジオボタンである「設置済み検体優先」ラジオボタン３２と、追加検体の分析を、設置済み検体に比べて優先させるラジオボタンである「追加検体優先」ラジオボタン３３とを表示する。
【００３３】
操作部１００のコンピュータ１１０は、図３のステップＳ０２において、既に試料ディスク１９に設置されている「設置済み検体」を、分析順序テーブル４０（一例を図４に示す）に登録する。設置済み検体に関する情報は、検体バーコードリーダ２４が試料容器２０へ貼り付けられたバーコードを読み取ることにより、コンピュータ１１０に送られる。なお、設置済み検体に関する情報は、操作者が、入力装置１０２，１０３により入力し、コンピュータ１１０に送られるものとしても良い。
【００３４】
図２の分析優先設定の項目３１において、操作者が、追加検体優先ラジオボタン３３を選択し、且つ新たな検体（すなわち追加検体）を試料ディスク１９に追加して設置した場合、操作部１００のコンピュータ１１０は、図３のステップＳ０４において、追加検体がある（Ｙｅｓ）と判定し、ステップＳ０６において、当該追加検体が、設置済み検体に比べて優先的に分析されるよう、当該追加検体を登録する。具体的には、図４に示すように、コンピュータ１１０は、同一の検体区分内の追加検体及び設置済み検体のうち、追加検体を、分析順序テーブル４０の先頭、すなわち最も上位側の順序に登録する。この追加検体と同一の検体区分（例えば、緊急検体／一般検体）内の設置済み検体は、分析順序テーブル４０において、当該追加検体の次の順序にずらす、すなわち追加検体に比べて下位側の順序に登録する。なお、設置済み検体と、追加検体で区分（例えば、緊急検体／一般検体）が異なる場合には、その区分が示す緊急の度合い等に応じて、分析順序テーブル４０の分析順序を登録するものとしても良い。そして、ステップＳ０８に進む。
【００３５】
一方、ステップＳ０４において追加検体が無い（Ｎｏ）と判定した場合、コンピュータ１１０は、ステップＳ０２において登録した分析順序テーブルをそのままにして、ステップＳ０８に進む。
【００３６】
ステップＳ０８において、自動分析装置１の操作部１００のコンピュータ１１０は、分析順序テーブル４０に従って、各検体の分析を、分析部８に行わせる。具体的には、操作部１００のコンピュータ１１０は、分析順序テーブル４０の上位側から順序に、検体に関する情報を読み出し、分析部８のコンピュータ２２に分析指示を送信する。コンピュータ２２により分析部８を構成する各種の装置及び機構が制御され、各検体の分析が行われる。
【００３７】
このように、上述の例においては、同一の検体区分（例えば、緊急検体／一般検体）内において、設置済み検体と、追加検体がある場合、追加検体を設置済み検体に比べて先に（最優先に）分析させるため、コンピュータ１１０は、分析順序テーブル４０の最も上位側に、追加検体を登録する。すなわち、操作部１００のコンピュータ１１０は、追加検体と設置済み検体が、同一の検体区分である場合、追加検体を設置済み検体に比べて先に分析部８に分析させる。
【００３８】
しかし、分析順序テーブル４０への各検体の登録の態様は、この例に限定されるものではない。例えば、操作部１００のコンピュータ１１０から分析部８に対して既に分析指示を与えた検体である「予約（分析スケジューリング）済み検体」や既に分析中の検体がある場合には、追加検体を、分析中の検体、及び「予約（分析スケジューリング）済み検体」の次の分析順序に登録することも好適である。
【００３９】
なお、上述の例においては、操作者が、追加検体優先ラジオボタン３３を選択した場合について説明した。しかし、図２のスタート条件画面３０の分析優先設定の項目３１において、操作者が、設置済み検体優先ラジオボタン３２を選択し、且つ試料ディスク１９に新たな検体（追加検体）を追加して設置した場合もある。この場合においては、操作部１００のコンピュータ１１０は、追加検体と設置済み検体が、同一の検体区分であるか否かを判定し、同一の検体区分であると判定した場合、追加検体を、分析順序テーブル（図４参照）において、設置済み検体の次の順序、すなわち設置済み検体に比べて下位側の順序に登録する。すなわち操作部１００のコンピュータ１１０は、操作者が設置済み検体優先ラジオボタン３２を選択し、且つ追加検体と設置済み検体が同一の検体区分である場合、設置済み検体を、追加検体に比べて、先に分析部８に分析させる。
【００４０】
以上のように、操作部１００のコンピュータ１１０は、検体の分析を中断している間に、図２のスタート条件画面３０の分析優先設定の項目３１を表示装置１０４に表示させて、操作者に対して設置済み検体優先ラジオボタン３２か追加検体優先ラジオボタン３３を選択させる。つまり、このような画面を表示することにより、操作部１００のコンピュータ１１０は、中断されていた分析を分析部８に再開させる際に、追加検体を設置済み検体に比べて先に分析部８に分析させるか否かを、操作者に選択させることが可能に構成されている。
【００４１】
ところで、自動分析装置１においては、検体の緊急性の度合い（例えば、緊急検体／一般検体）、すなわち同一の検体区分であれば、各検体単位で分析順序を入れ替えたいという要望がある。このため、自動分析装置１は、操作者の操作により、同一の検体区分内において各検体の分析順序を入れ替える機能を有しており、以下に、図５を用いて説明する。図５は、本実施形態の操作部の表示装置に表示された「分析順序を入れ替えるための画面」であり、各検体の分析順序を示す画面の一例を示す図である。
【００４２】
操作部１００のコンピュータ１１０は、操作者の操作により検体の分析順序を入れ替え可能にするため、各検体の分析順序を示す画面である「分析順序画面」５０を、表示装置１０４に表示する。分析順序画面５０には、各検体について、分析順序５１、検体区分５２、検体の種別５３、試料ディスク１９において検体が設置されている位置（図５には単に「ポジション」と記す）５４、患者のＩＤ番号（図には単に「患者ＩＤ」と記す）５５、検体の分析や予約の状況（図５には単に「状況」と記す）５６等の項目が表示される。操作者が検体の分析順序を入れ替えたい場合には、分析順序画面５０において、分析順序を入れ替えたい検体を、入力装置１０２，１０３を使って選択し、選択した検体の分析順序を、分析順序入れ替えボタン５７，５８を使用して、より上位側又はより下位側に移動させる。
【００４３】
そして、操作者が登録ボタン５９を押すと、操作部１００のコンピュータ１１０は、分析順序画面に表示された、各検体の分析順序を、分析順序テーブル４０（図４参照）に登録する。コンピュータ１１０は、登録された分析順序テーブル４０に従って、各検体の分析を、分析部８に行わせる。
【００４４】
なお、操作部１００のコンピュータ１１０は、検体の分析順序の入れ替えを、同一の検体区分（例えば、緊急検体／一般検体）内の検体について変更可能となるようにしている。加えて、コンピュータ１１０は、同一の検体区分内の検体であっても、既に分析中の検体や、予約（分析スケジューリング）済みの検体は、その順序を入れ替えることはできないようにしている。このように、同一の検体区分の検体であれば、各検体の分析順序を入れ替えることができるため、例えば、同一の検体区分（例えば、緊急検体）であっても、急患対応など、より緊急性の高い検体を、同一の検体区分の他の検体に比べて、優先的に分析部８に分析させることができる。
【００４５】
以上に説明した本実施形態の技術と、従来技術との差異について、図６及び図７を用いて比較して説明する。図６は、本実施形態の技術と従来技術との差異を説明するための図であり、試料ディスクに検体が設置された態様を示す図である。図７は、従来技術が適用された場合の分析順序と、本実施形態の技術が適用された場合の分析順序とを説明する図である。なお、図６〜図７において説明に用いられる各検体の区分は、同一の検体区分（一例として「緊急検体」の場合を示す）であるものとする。
【００４６】
図６に示すように、まず、検体Ａ、検体Ｂ、及び検体Ｃが、試料ディスク１９のうち検体の設置場所として空いている位置（以下、「空きポジション」と記す）にそれぞれ設置される。図７に示すように、検体の分析順序は、検体Ａ、検体Ｂ、検体Ｃの順序に設定されている。このように試料ディスク１９において最初にした検体の設置を、「最初の設置」と記し、図７に示す。最初に設定された分析順序に従って、検体Ａから分析が開始され、検体Ａの分析が終了した後に、分析を途中で中断する。
【００４７】
そして、分析を中断している間に、検体Ｄ、検体Ｅ、及び検体Ｆを、それぞれ試料ディスク１９の空きポジションに追加して設置する。このように「分析を途中で中断している間」の設置を、「２回目の設置」と記し、図７に示す。検体Ｄ，Ｅ，Ｆが試料ディスク１９に設置された後、中断していた分析が再開される。
【００４８】
この場合、分析が未だ終了しておらず、且つ分析を途中で中断する前に、既に試料ディスク１９に設置されていた検体Ｂ、及び検体Ｃは、上述した「設置済み検体」となる。一方、分析が途中で中断している間に、試料ディスク１９に追加して設置された検体Ｄ、検体Ｅ、及び検体Ｆは、「追加検体」となる。この場合において、従来技術が適用された場合の分析順序と、本実施形態の技術が適用された場合の分析順序について、以下に説明する。
【００４９】
従来技術が適用された場合は、図７に示すように、追加検体である検体Ｄ、検体Ｅ、及び検体Ｆの分析が行われるのは、設置済み検体である検体Ｂ及び検体Ｃの分析が行われた後となる。従来技術が適用された場合、検体の分析順序の登録は、検体を試料ディスク１９に設置した順に行われる。このため、上記の例においては、追加検体Ｄ，Ｅ，Ｆは、分析が未だ終了しておらず且つ分析を途中で中断している間に追加して設置された設置済み検体Ｂ，Ｃに比べて、下位側に登録される。すなわち、追加検体の分析順序は、設置済み検体に比べて後となる。
【００５０】
一方、上述した本実施形態の技術が適用された場合は、操作部１００のコンピュータ１１０（図１参照）は、追加検体である検体Ｄ，検体Ｅ，検体Ｆを、分析が未だ終了していない設置済み検体である、検体Ｂ，検体Ｃに比べて、分析順序テーブル（図４参照）の最も上位側に登録する。すなわちコンピュータ１１０は、追加検体Ｄ，Ｅ，Ｆを、分析が未だ終了していない設置済み検体Ｂ，Ｃに比べて、先に分析部８において分析させる。これにより、自動分析装置１の分析部８のコンピュータ２２は、追加検体Ｄ，Ｅ，Ｆを、設置済み検体Ｂ，Ｃに比べて先に分析する。この結果、操作者は、追加検体Ｄ，Ｅ，Ｆの分析結果を、設置済み検体Ｂ，Ｃに比べて早期に知ることができる。
【００５１】
なお、上述した実施形態において、試料ディスクに設置される試料は、化学反応等を利用して分析する対象物である検体であるものとしたが、試料は、これに限定されるものではない。本発明の自動分析装置を、検体以外の他の試料の分析に用いることができる。また、複数の検体が、分析のために設置される部材は、本実施形態の試料ディスクに限定されるものではない。検体（試料）を設置可能な部材であれば、試料ディスク以外の部材を用いることも可能である。
【００５２】
以上に説明したように本実施形態の自動分析装置１（図１参照）は、複数の検体が設置される試料ディスク１９を有し、且つ当該試料ディスク１９に設置された検体を分析する分析部８と、当該分析部８を操作する操作部１００とを備えたものであって、操作部１００のコンピュータ１１０は、試料ディスク１９に設置された検体の分析を中断している間に当該試料ディスク１９に追加して設置された検体である追加検体を、当該分析を中断する前に既に試料ディスク１９に設置されていた検体である設置済み検体に比べて、先に分析部８に分析させるものとした。設置済み検体に比べて緊急性が高い追加検体を、優先的に分析させることができ、当該追加検体の分析結果を、より短い時間で得ることが可能となる。
【００５３】
また、本実施形態の自動分析装置１において、検体には、その緊急性の度合いに応じて、当該検体の緊急性を識別するための区分である検体区分を示す情報が付与されており、操作部１００のコンピュータ１１０は、追加検体と設置済み検体が同一の検体区分である場合、当該追加検体を、当該設置済み検体に比べて、先に分析部８に分析させるものとした。同一の検体区分（例えば、緊急検体）が、既に試料ディスク１９に「設置済み検体」として設置されている場合において、急患対応など、緊急検体の中でも、より緊急性が高い緊急検体の検査依頼が突発的に発生した場合等に、当該検体を追加検体として試料ディスク１９に追加することで、設置済み検体（緊急検体）に比べて緊急性が高い追加検体（緊急検体）を、優先的に分析させることができる。
【００５４】
また、本実施形態の自動分析装置１において、操作部１００は、中断されていた分析を分析部８に再開させる際に、追加検体を設置済み検体に比べて先に分析部８に分析させるか否かを、操作者により選択させることが可能に構成されているものとした。設置済み検体と追加検体の緊急性が同程度である場合などにおいて、操作者の操作により、設置済み検体を追加検体に比べて優先的に分析させることができる。
【００５５】
また、本実施形態の自動分析装置１において、操作部１００は、各検体の分析順序を表示する表示装置１０４を備えるものとした。操作者が、当該表示装置１０４に表示された検体の分析順序を視認して、操作部１００の入力装置等の操作を行うことが可能となる。
【００５６】
また、本実施形態の自動分析装置１において、操作部１００は、同一の検体区分の検体であれば、各検体の分析順序を入れ替えることが可能に構成されているものとした。検体の緊急性の度合いに応じて、操作者が、検体単位で分析順序を入れ替えることができる。
【００５７】
以上、本発明者によってなされた発明を実施の形態に基づき具体的に説明したが、本発明は前記の実施形態に限定されるものではなく、その要旨を逸脱しない範囲において種々の変更が可能である。
【産業上の利用可能性】
【００５８】
本発明は、試料（検体）の分析を自動的に行う自動分析装置に適しており、特に、複数の試料（検体）を分析する分析装置に好適である。
【符号の説明】
【００５９】
１  自動分析装置
８  分析部
９  反応ディスク
１０  反応容器
１１  試薬ディスク
１２  試薬ボトル
１３  試料分注プローブ
１４  攪拌装置
１５  洗浄装置
１６  光源
１７  多波長光度計
１８  試薬分注プローブ
１９  試料ディスク
２１  インタフェース
２２  分析部のコンピュータ
２３  Ａ／Ｄコンバータ
２４  検体バーコードリーダ
３０  スタート条件画面
３１  分析優先設定の項目
３２  設置済み検体優先ラジオボタン
３３  追加検体優先ラジオボタン
４０  分析順序テーブル
５０  分析順序画面
５１  分析順序
５２  検体区分
５３  検体種別
１００  操作部
１０２  キーボード（入力装置）
１０３  マウス（入力装置）
１０４  表示装置
１０５  印刷装置
１０６  インタフェース
１０７  記憶装置（補助記憶装置、記憶部）
１１０  操作部のコンピュータ
【図１】
2013174550.tif 000003
【図２】
2013174550.tif 000004
【図３】
2013174550.tif 000005
【図４】
2013174550.tif 000006
【図５】
2013174550.tif 000007
【図６】
2013174550.tif 000008
【図７】
2013174550.tif 000009